(57)【要約】【課題】低コストで、温室内だけでなく、植物の苗木が植えられる土壌も温室内と同様に保温すること。【解決手段】植物の苗木２が栽培される温室３内の室温を調整できる温室用保温装置１において、冷風もしくは温風を送出する冷温熱源４と、冷温熱源４に接続され、該冷温熱源４から送出される冷風もしくは温風を温室３内に供給するダクト５と、苗木２が植えられている収容容器８を並べて載置させる載置台１０と、を備え、ダクト５を、収容容器８よりも下方に位置するように載置台１０に配置し、ダクト５に供給される冷風もしくは温風を、該ダクトの内側から収容容器８の方向に向けて放出させることを特徴とする。【選択図】図１
2010161940.tif 000002
【特許請求の範囲】
【請求項１】
植物の苗木が栽培される温室内の室温を調整できる温室用保温装置において、
冷風もしくは温風を送出する冷温熱源と、
上記冷温熱源に接続され、該冷温熱源から送出される上記冷風もしくは上記温風を上記温室内に供給するダクトと、
上記苗木が植えられている収容容器を並べて載置させる載置台と、
を備え、
上記ダクトを、上記収容容器よりも下方に位置するように上記載置台に配置し、上記ダクトに供給される上記冷風もしくは上記温風を、該ダクトの内側から上記収容容器の方向に向けて放出させることを特徴とする温室用保温装置。
【請求項２】
請求項１記載の温室用保温装置において、前記収容容器を前記載置台の長手方向に沿って一列または複数列に並べて配置すると共に、前記ダクトを前記載置台の下方に長手方向に沿って配置し、該ダクトの長手方向に沿って複数の吹出孔を設け、該吹出孔から前記冷風もしくは前記温風を前記温室内に放出させることを特徴とする温室用保温装置。
【請求項３】
請求項１または２記載の温室用保温装置において、前記ダクトは、前記冷温熱源に接続される主ダクトと、上記主ダクトから分岐して延伸する単数もしくは複数の枝ダクトとを有し、上記枝ダクトに対応するように前記載置台を配置させ、前記枝ダクトの内側から前記載置台に載置される前記収容容器に向けて前記冷風もしくは前記温風を放出させることを特徴とする温室用保温装置。
【請求項４】
請求項１から３のいずれか１項記載の温室用保温装置において、前記枝ダクトの先端は閉塞していることを特徴とする温室用保温装置。
【請求項５】
請求項１から４のいずれか１項記載の温室用保温装置において、前記載置台は、前記収容容器が載置される容器載置部と、該容器載置部の下方に設けられ、前記枝ダクトが載置されるダクト載置部とを有しており、上記容器載置部には上下方向に開口する開口部が形成されていることを特徴とする温室用保温装置。
【請求項６】
請求項１から５のいずれか１項記載の温室用保温装置において、前記収容容器が載置された前記載置台の少なくとも上方および長手側となる両側方を覆っていることを特徴とする温室用保温装置。
【発明の詳細な説明】
【技術分野】
【０００１】
本発明は、温室内の室温を調整できる温室用保温装置に関する。
【背景技術】
【０００２】
従来から、ビニールハウスの支持体を覆うビニールに保温材を取り付けてビニールハウスを保温する保温装置が存在する。特許文献１には、ビニールハウスの支持体となるビニール支持体の上に設置される下ビニールと上ビニールとの間に保温用空気マットを介在させたビニールハウスの保温装置が開示されている。
【先行技術文献】
【特許文献】
【０００３】
【特許文献１】特開２００２−５８３５５号公報（要約書）
【発明の概要】
【発明が解決しようとする課題】
【０００４】
特許文献１に開示されているビニールハウスの保温装置では、ビニールハウスの上方から室内を温めているため、ビニールハウスの室内全体を均一に温めることができる。しかしながら、植物が植えられる土壌は空気よりも温度上昇率が低いため、当該保温装置では、上記土壌を温室内と同様に保温することが困難である。また、保温用空気マットをビニールハウスの屋根全体を覆うように配置しなければならないため、コストが上昇してしまう。
【０００５】
本発明は、かかる問題に鑑みてなされたものであり、その目的とするところは、低コストで、温室内だけでなく、植物の苗木が植えられる土壌も温室内と同様に保温することが可能な温室用保温装置を提供しようとするものである。
【課題を解決するための手段】
【０００６】
上記課題を解決するために、本発明の一側面は、植物の苗木が栽培される温室内の室温を調整できる温室用保温装置において、冷風もしくは温風を送出する冷温熱源と、冷温熱源に接続され、該冷温熱源から送出される冷風もしくは温風を温室内に供給するダクトと、苗木が植えられている収容容器を並べて載置させる載置台と、を備え、ダクトを、収容容器よりも下方に位置するように載置台に配置し、ダクトに供給される冷風もしくは温風を、該ダクトの内側から収容容器の方向に向けて放出させるものである。
【０００７】
また、収容容器を載置台の長手方向に沿って一列または複数列に並べて配置すると共に、ダクトを載置台の下方に長手方向に沿って配置し、該ダクトの長手方向に沿って複数の吹出孔を設け、該吹出孔から冷風もしくは温風を温室内に放出させるのが好ましい。
【０００８】
また、ダクトは、冷温熱源に接続される主ダクトと、主ダクトから分岐して延伸する単数もしくは複数の枝ダクトとを有し、枝ダクトに対応するように載置台を配置させ、枝ダクトの内側から載置台に載置される収容容器に向けて冷風もしくは温風を放出させるのが好ましい。
【０００９】
また、枝ダクトの先端は閉塞させるのが好ましい。
【００１０】
また、載置台は、収容容器が載置される容器載置部と、該容器載置部の下方に設けられ、枝ダクトが載置されるダクト載置部とを有しており、容器載置部には上下方向に開口する開口部が形成されているものとするのが好ましい。
【００１１】
また、収容容器が載置された載置台の少なくとも上方および長手側となる両側方を覆うのが好ましい。
【発明の効果】
【００１２】
本発明によると、低コストで、温室内だけでなく、植物の苗木が植えられる土壌も温室内と同様に保温することが可能となる。
【図面の簡単な説明】
【００１３】
【図１】本発明の一実施の形態に係る保温装置および温室の構成を概略的に説明するための正面断面図である。
【図２】図１中の保温装置および温室の構成を概略的に説明するための平面断面図である。
【図３】図１中の載置台に苗木と枝ダクトが配置された状態を説明するための斜視図である。
【図４】図２中の灌水ホースの構成を説明するための斜視図である。
【発明を実施するための形態】
【００１４】
以下、本発明の一実施の形態に係る温室用保温装置１（以下、単に保温装置１という。）について、図面を参照しながら説明する。なお、以下の説明において、図１〜図４に示す矢示Ｘ１方向を「前」、矢示Ｘ２方向を「後（後ろ）」、このＸ１方向とＸ２方向と水平方向で直交する方向となる矢示Ｙ１方向を「左」、矢示Ｙ２方向を「右」、このＸＹ平面と直交する方向の矢示Ｚ１方向を「上」および矢示Ｚ２方向を「下」とそれぞれ規定する。
【００１５】
図１は、本発明の一実施の形態に係る保温装置１および温室３の構成を概略的に説明するための正面断面図である。図２は、図１中の保温装置１および温室３の構成を概略的に説明するための平面断面図である。図３は、載置台１０に苗木２と枝ダクト７が配置された状態を説明するための斜視図である。なお、図２では、枝ダクト７の構成を示すため、載置台１０の一部の図示は省略してある。また、図３では、カーテン２６の図示は省略してある。
【００１６】
本発明の一実施の形態に係る保温装置１は、例えば、植物の苗木２が並べて配置される温室３内の室温を調整できる保温装置である。図２に示すように、保温装置１は、温室３内に設置されており、冷風もしくは温風を送出する冷温熱源となる冷暖房装置４と、冷暖房装置４に接続され冷風もしくは温風を温室３内に供給するダクト５とを有する。ダクト５は、冷暖房装置４に接続される主ダクト６と、主ダクト６から複数分岐する枝ダクト７とを有する。
【００１７】
図１および図２に示すように、苗木２は収容容器の一例である鉢８に植えられて、温室３内に設置される載置台１０に、例えば、一列に並べて配置されている。鉢８には、例えば、トマト、桃もしくは梨等の苗木２を植えることが可能である。また、苗木２は、鉢８内に収容された土壌１１に植えられる（図１を参照）。この土壌１１は、例えば、プラスチックのペレットと鹿沼土等の土との混合物とすることができるが、このような構成に限定されるものではない。
【００１８】
図１に示すように、温室３は、例えば、三角屋根１２を有するビニールハウスである。三角屋根１２の頂部近傍には、左右対称となるように開閉可能な天窓１３が設けられている。天窓１３は三角屋根１２の頂部１２ａを中心として回動可能に構成されている。この天窓１３を上方へ回動させ該天窓１３を開状態とすることで、外気を温室３内に取り込むことができる。特に、温室３内の室温が高温の場合、外気を温室３内に取り込んで、温室３内の室温を低温にすることが可能である。なお、本実施の形態では、温室３の屋根を三角形状としているが、ドーム状等の他の形状としても良い。
【００１９】
また、温室３の内側には、正面から見て略三角形状を呈する屋根部１４ａを備えた支持体１４が設置され、該支持体１４には保温カーテン１５が取り付けられている。すなわち、支持体１４の外側を保温カーテン１５で覆うことが可能となっている。保温カーテン１５は、屋根部１４ａの頂部１４ｂから左右対称となるように支持体１４の側部１４ｃを覆うことが可能に設けられている。また、図１に示すように、保温カーテン１５は、側部１４ｃの外側に引き下げることが可能であると共に、頂部１４ｂに向かって引き上げることが可能となっている。このため、温室３内の温度に応じて、適宜、保温カーテン１５を引き上げたり降ろしたりすることが可能である。なお、保温カーテン１５は、例えば、透光性を有する樹脂から形成されている。
【００２０】
図２に示すように、冷暖房装置４は温室３内の左斜め後方に配設されている。主ダクト６は、その一端が冷暖房装置４に接続され、温室３内の外周縁に略コ字状の形態で配置されている。枝ダクト７は、主ダクト６のうち温室３内の前後に位置し左右方向に伸びる後方ダクト部６ａおよび前方ダクト部６ｂのそれぞれから分岐している。本実施の形態では、枝ダクト７は、後方ダクト部６ａおよび前方ダクト部６ｂから温室３の前後方向の中央に向かってそれぞれ４本ずつ分岐している。この枝ダクト７は載置台１０の長手方向に沿って延伸している。なお、主ダクト６と各枝ダクト７とは連通しているため、冷暖房装置４から主ダクト６に送り込まれた冷風もしくは温風は、主ダクト６を通過して各枝ダクト７に送り込まれる。
【００２１】
ダクト５は、塩化ビニル製の樹脂から形成されており、枝ダクト７の先端は閉塞されている。具体的には、図３に示すように、枝ダクト７の先端は紐等で縛ることによって閉塞されている。すなわち、枝ダクト７は細長い袋状の形態を有していることになる。また、前方ダクト部６ｂの左端部６ｃも閉塞されている。冷風もしくは温風が送り込まれていない状態ではダクト５は萎んでおり、冷風もしくは温風が送り込まれると、萎んでいるダクト５は膨らむ。また、図２に示すように、枝ダクト７には長手方向に沿って一定の間隔を隔てて吹出孔１６が形成されている。このため、主ダクト６に送り込まれた冷風もしくは温風は、吹出孔１６を介して枝ダクト７の内部から温室３内に供給される。
【００２２】
載置台１０は、図２に示すように、縦長の形態を有しており、各枝ダクト７と対応するように、温室３内に合計８個配置されている。図１および図３に示すように、載置台１０は、鉢８が載置される容器載置部１７と、枝ダクト７が載置されるダクト載置部１８を有している。すなわち、容器載置部１７が上段に形成されると共に、ダクト載置部１８が下段に形成される２段のベンチ式の構造を有している。また、図１に示すように、容器載置部１７の上方には、載置台１０の天井部分を形成する天井部２０が設けられている。載置台１０は略円筒状の形態を有する各種フレーム部材２１を組み立てることによって形成される。具体的には、図３に示すように、縦長の縦長フレーム２１Ａを左右一対に２本立て、これら一対の縦長フレーム２１Ａを前後方向に所定の間隔を隔てて複数配置する。そして、これら一対の縦長フレーム２１Ａによって容器載置部１７およびダクト載置部１８を支持させる。
【００２３】
図３に示すように、容器載置部１７は、前後方向に沿って左右に一対に配置された長手状の長手フレーム２１Ｂの前後の開口端部に短手状の短手フレーム２１Ｃを連結させて四角状の枠２２を形成し、その枠２２内に長手方向に沿って３本の長手フレーム２１Ｂを架け渡すことによって形成される。このように、容器載置部１７は、枠２２を３本の長手フレーム２１Ｂで仕切ることによって形成されるため、容器載置部１７を上下に貫通するような４つの矩形状の開口部２３を有する。ダクト載置部１８は、容器載置部１７の場合と同様、四角状の枠２２を形成し、その枠２２内に短手方向に沿って短手フレーム２１Ｃを架け渡すことによって形成される。この短手フレーム２１Ｃは、一対の縦長フレーム２１Ａの設置位置と対応する位置に架け渡される。なお、ダクト載置部１８の下側にもダクト載置部１８と同様の形態を有する支持枠２４が設けられている。
【００２４】
天井部２０も、ダクト載置部１８と同様の形態を有している（図３において不図示）。具体的には、縦長フレーム２１Ａの上端部に、長手フレーム２１Ｂと短手フレーム２１Ｃとから形成される四角状の枠２２を設置し、その枠２２内に短手方向に沿って短手フレーム２１Ｃを架け渡すことによって形成される。また、図１に示すように、各載置台１０には、その天面と左右の側面を覆うようにカーテン２６が配置されている。カーテン２６を配置することにより、載置台１０の内部を一定温度に保温することが可能となる。カーテン２６は、例えば、透光性を有する樹脂から形成されている。
【００２５】
上述したように、枝ダクト７は、載置台１０の長手方向に沿ってダクト載置部１８上に載置されている。具体的には、図３に示すように、枝ダクト７は、ダクト載置部１８と容器載置部１７との間の空間に、載置台１０の長手方向に沿って配置されている。枝ダクト７がダクト載置部１８上に載置された状態では、各吹出孔１６は鉢８の直下に位置している。このため、枝ダクト７に導入される冷風もしくは温風は、吹出孔１６から吹き出し、開口部２３を通過して鉢８の底面に吹き付けられる。このため、温度変化しにくい鉢８内の土壌１１を、確実に冷却もしくは温めながら温室３内を保温することが可能となる。枝ダクト７は、例えば、針金等を、膨張時の枝ダクト７の外径と略同一径となるようにリング状に巻いた不図示の保持枠によって載置台１０に保持することができる。また、主ダクト６からの冷風もしくは温風が枝ダクト７に導入されなくなると、枝ダクト７内の空気の大部分は温室３内へ放出される。この際、枝ダクト７は萎んだ状態となる。
【００２６】
また、各載置台１０には温度を計測するための不図示の温度センサが設置されている。そして、各温度センサが設定温度に到達すると冷暖房装置４がオフとなるように構成されている。また、各載置台１０に載置されている鉢８のうちから１つの鉢８を基準鉢８として選択し、該基準鉢８に、土壌１１の水分を計測するための不図示の水分計を設置する。そして、各水分計が所定の水分を含むようになると冷暖房装置４がオフとなるように構成することも可能である。
【００２７】
図４は、灌水ホース３０の構成を説明するための斜視図である。
【００２８】
図３および図４に示すように、温室３内には各苗木２に水を供給するための灌水ホース３０が配設されている。この灌水ホース３０によって苗木２の土壌１１に水を供給することが可能となる。灌水ホース３０は各載置台１０に対応して設けられる主ホース３１と、主ホース３１から各鉢８に向かって分岐する枝ホース３２とを有する。灌水ホース３０は、灌水が貯留される不図示の灌水タンクに接続されている不図示の本ホースから合計８つ分岐している。図３に示すように、灌水ホース３０は載置台１０の容器載置部１７に巻き付けられながら長手方向に沿って伸びている。このように、灌水ホース３０が容器載置部１７に巻き付けられることで、該灌水ホース３０は載置台１０に保持される。なお、図３に示すように、主ホース３１の長手方向の先端３１ａは閉塞している。
【００２９】
図４に示すように、枝ホース３２の先端にはリング状の形態を有するリング状ホース３３が設けられている。このリング状ホース３３は鉢８の内周に沿うように土壌１１上に配置される。このリング状ホース３３は枝ホース３２と連通している。また、リング状ホース３３の内周側には円周方向に沿って所定の間隔を隔てて複数の噴出孔３４が設けられている。このため、枝ホース３２からリング状ホース３３に導入された水は、リング状ホース３３の噴出孔３４から土壌１１に供給される。なお、主ホース３１、枝ホース３２およびリング状ホース３３は可撓性を有するチューブにより形成されているが、これらを他の材料から形成するようにしても良い。
【００３０】
図１に示すように、載置台１０の内部における苗木２の上方には、苗木２に薬液を噴霧するための頭上墳管３５が設置されている。頭上墳管３５には、苗木２と対応するように噴射孔３６が設けられている。なお、頭上墳管３５から薬液を噴霧するための噴霧用ノズルを噴射孔３６と対応する位置に設けるようにしても良い。この頭上噴管３５は、不図示の薬液タンクに接続されている不図示の頭上本管から合計８つ分岐している。頭上噴管３５は、断面円形状の樹脂製の筒状部材から形成されており、その先端は閉塞されている。
【００３１】
頭上噴管３５は不図示の頭上本管を介して不図示の加圧ポンプに接続されており、該頭上噴管３５内に残留した薬液は、不図示の加圧ポンプの圧力により不図示の薬液タンクに戻すことが可能となっている。すなわち、頭上噴管３５内に残留した薬液を加圧ポンプによって吸引し、不図示の薬液タンクに回収させることが可能である。
【００３２】
また、頭上噴管３５が不図示の頭上本管から分岐した直後の部分には、不図示の電磁弁が設けられている。この電磁弁の開閉を切り替えることにより、各頭上噴管３５へ薬液が供給されるか否かが決められる。すなわち、電磁弁が開状態の場合、薬液は不図示の頭上本管から頭上噴管３５に供給され、閉状態の場合、薬液は頭上本管から頭上噴管３５に供給されない。なお、電磁弁の替わりに、不図示の手動コックを配設するようにしても良いし、電磁弁を設けないようにしても良い。
【００３３】
一方、灌水ホース３０が、不図示の本ホースから分岐した直後の部分にも、不図示の電磁弁が設けられている。この電磁弁の開閉を切り替えることにより、各灌水ホース３０へ水が供給されるか否かが決められる。すなわち、電磁弁が開状態の場合、水は不図示の本ホースから灌水ホース３０に供給され、閉状態の場合、水は不図示の本ホースから灌水ホース３０に供給されない。なお、電磁弁の替わりに、不図示の手動コックを配設するようにしても良いし、電磁弁を設けないようにしても良い。
【００３４】
次に、保温装置１の動作について説明する。
【００３５】
まず、温室３内を低温の状態で保温にする場合について説明する。まず、天窓１３を開けると共に、保温カーテン１５を引き上げて、温室３内に外気を取り込む。このように、温室３内に外気を取り込むことで、温室３内の温度を下げることができる。温室３内に外気を取り入れられたら、天窓１３を閉めると共に、保温カーテン１５を支持体１４の外側にかける。支持体１４を保温カーテン１５で覆うことにより、支持体１４内が保温されやすい状態となる。次に、保温すべき温度を設定し、不図示の冷温風切替ボタンを冷風モードに切り替え、冷暖房装置４をオンにする。すると、冷暖房装置４から主ダクト６の内部に冷風が導入される。導入された冷風は主ダクト６の後方ダクト部６ａから前方ダクト部６ｂまで行き渡り、主ダクト６内の全体に供給される。そして、主ダクト６内に供給された冷風は、主ダクト６から各枝ダクト７内に導入される。冷風は、枝ダクト７の根元部分から先端部に向かって導入される。上述したように、冷風は主ダクト６、枝ダクト７に、順次、供給されていき、その供給に伴って、萎んでいた主ダクト６および枝ダクト７が次第に膨張していく。
【００３６】
ダクト５が完全に膨張すると、各吹出孔１６から冷風が上方に向かって吹き出し、低温の空気が温室３内全体に行き渡る。このため、温室３内の空気を低温にて保温することが可能となる。また、吹出孔１６から吹き出す冷風は、開口部２３を通過して鉢８の底面に直接吹き付けられる。すなわち、冷風は、鉢８の底面に吹き付けられてから、温室３内全体に行き渡ることになる。このため、温度変化しにくい鉢８内の土壌１１を、確実に低温に保持することが可能となる。そして、不図示の温度センサが設定温度に到達すると、冷暖房装置４がオフとなり、冷風の供給が停止される。なお、温室３内を温めた状態で保温にする場合、温風を供給すること以外は低温で保温する場合の動作と同様である。この場合、天窓１３を開けることなく、温風を供給するようにしても良い。
【００３７】
次に、水を土壌１１に供給する動作の概略について説明する。
【００３８】
灌水ホース３０を用いて苗木２に水を供給する場合、水の供給が行われる載置台１０に対応する不図示の電磁弁を開状態にし、不図示の加圧ポンプを作動させて、不図示の灌水タンクから灌水ホース３０に水を圧送する。具体的には、加圧ポンプの圧力により、灌水タンクの水を不図示の本ホースを介して、主ホース３１に送り込む。主ホース３１に送り込まれた水は、主ホース３１から分岐する枝ホース３２に送り込まれ、その後、リング状ホース３３に導入される。水がリング状ホース３３に導入されると、導入された水はリング状ホース３３の噴出孔３４から土壌１１に供給される。
【００３９】
次に、頭上墳管３５を用いて薬液を苗木２に供給する動作の概略について説明する。
【００４０】
頭上噴管３５を用いて苗木２に薬液を供給する場合、薬液の供給が行われる載置台１０に対応する不図示の電磁弁を開状態にし、不図示の加圧ポンプを作動させて、不図示の薬液タンクから頭上噴管３５に薬液を圧送する。具体的には、加圧ポンプの圧力により、薬液タンクの薬液を不図示の頭上本管を介して、頭上噴管３５に送り込む。頭上噴管３５に送り込まれた薬液は、該頭上噴管３５の噴射孔３６から苗木２の外側に向かって噴霧される。そして、薬液の供給が終了したら、不図示の加圧ポンプに吸引力が作用し、頭上墳管３５に残留した薬液を薬液タンクまで引き戻す。このように、頭上墳管３５に残留した薬液は薬液タンクに回収されることになる。このため、薬液を有効活用することが可能となる。
【００４１】
以上、説明した保温装置１では、冷風もしくは温風を、ダクト５を介して各鉢８の底面に吹き付けながら温室３内に供給することが可能である。すなわち、鉢８内に収容されている土壌１１に向けて冷風もしくは温風を吹き付けることが可能である。このため、温度変化しにくい土壌１１を確実に冷却もしくは温めつつ、温室３内を保温することが可能となる。また、ダクト５といった簡易な装置を用いて温室３内を保温しているため、装置の構造が複雑化せず、コストを削減することが可能となる。
【００４２】
また、保温装置１では、枝ダクト７に吹出孔１６が設けられているため、各鉢８に確実に冷風もしくは温風を供給することが可能である。このため、土壌１１をより確実に冷却もしくは温めた状態としつつ、温室３内を保温することが可能となる。また、載置台１０を並列的に配置させ、該載置台１０に鉢８を並べると共に、載置台１０に沿って枝ダクト７をその下方に配置する構成を採用している。このため、簡易な構成で土壌１１を冷却もしくは温めつつ、温室３内を保温することが可能となる。
【００４３】
また、保温装置１では、枝ダクト７の先端を閉塞しているため、確実に主ダクト６から枝ダクト７に冷風もしくは温風が導入され、確実に吹出孔１６から冷風もしくは温風を放出させることが可能となる。
【００４４】
また、保温装置１では、容器載置部１７には、開口部２３が設けられているため、吹出孔１６から吹き出した冷風もしくは温風を確実に鉢８の底面に吹き付けることができる。このため、温度変化しにくい鉢８内の土壌１１を、確実に冷却もしくは温めることが可能となる。
【００４５】
また、保温装置１では、各載置台１０はカーテン２６によって覆われている。このため、載置台１０内の空間を確実に保温することが可能となる。その結果、土壌１１をより確実に保温することが可能となる。
【００４６】
また、保温装置１では、灌水ホース３０を用いて土壌１１に水を供給している。したがって、苗木２に水を確実に供給することが可能となる。また、灌水ホース３０におけるリング状ホース３３は各鉢８毎に設置され、苗木２の外周側から中央に向かって水を噴出させる構成とされているため、土壌１１に均一かつ確実に水を供給することが可能となる。
【００４７】
また、保温装置１では、頭上墳管３５から薬液を噴霧した後、不図示の薬液タンクに薬液を戻しているため、頭上墳管３５の内部に薬液が残留するのを防止できる。したがって、頭上墳管３５に残留した薬液が固化し、再度、薬液を散布する際に、当該固化した薬液が、その薬液散布の障害となるのを防止できる。したがって、配列された苗木２の外側に均一の量の薬液を供給することが可能となる。また、薬液を薬液タンクに回収しているため、回収した薬液を再度使用することができ、薬液を有効活用することが可能となる。
【００４８】
以上、本発明の一実施の形態について説明したが、本発明は上述の形態に限定されることなく、種々変形した形態にて実施可能である。
【００４９】
上述の実施の形態では、主ダクト６は、温室３内の外周縁に略コ字状の形態で配置されているが、主ダクト６はこのような形態に限定されるものではなく、例えば、後方ダクト部６ａおよび前方ダクト部６ｂのそれぞれの左右の端部を結ぶような四角枠状の形体としても良い。また、主ダクト６を後方ダクト部６ａのみから構成するようにしても良い。
【００５０】
また、上述の実施の形態では、枝ダクト７は、後方ダクト部６ａおよび前方ダクト部６ｂから４本ずつ合計８本分岐されているが、枝ダクト７の分岐数は８本に限定されるものではない。また、例えば、後方ダクト部６ａと前方ダクト部６ｂからそれぞれ異なる数の枝ダクト７を分岐させるようにしても良いし、後方ダクト部６ａと前方ダクト部６ｂとを結ぶように枝ダクト７を設けるようにしても良い。また、枝ダクト７を左右方向に伸びるように配設しても良い。
【００５１】
また、上述の実施の形態では、鉢８は載置台１０に一列に配置されているが、鉢８の載置台１０に配置される形態は一列での設置に限定されず、例えば、２列としても良いし、左右にジグザグに波状に配置するようにしても良い。
【００５２】
また、上述の実施の形態では、載置台１０はフレーム部材２１を組み合わせることによって形成されているが、載置台１０はフレーム部材によって組み立てられる構成に限定されるものではなく、例えば、容器載置部１７等を平板状の板部材で構成したベンチ式の台としても良い。
【００５３】
また、上述の実施の形態では、各枝ダクト７に冷風等を供給させるか否かを選択するための弁が設けられていないが、例えば、枝ダクト７が主ダクト６から分岐した直後の部位に電磁弁等を配設して、各枝ダクト７に冷風等を供給させるか否かの選択が可能な構成としても良い。
【００５４】
また、上述の実施の形態では、カーテン２６の前後の端部にはカーテンが設けられておらず、開放されているが、カーテン２６の前後の開放端部にもカーテンを設けるようにしても良い。また、カーテンに代えて、板状の壁を設けても良い。
【００５５】
また、上述の実施の形態では、各載置台１０に１つずつ不図示の温度センサを設けているが、温度センサの設置はこのような形態に限定されるものではなく、例えば、温室３内の所定の位置に１つもしくは複数設置するようにしても良い。また、不図示の水分計も各載置台１０の基準となる鉢８に設置することに限定されるものではない。
【符号の説明】
【００５６】
１…温室用保温装置
２…苗木
３…温室
４…冷暖房装置（冷温熱源）
５…ダクト
６…主ダクト
７…枝ダクト
８…鉢（収容容器）
１０…載置台
１６…吹出孔
１７…容器載置部
１８…ダクト載置部
２３…開口部
【図１】
2010161940.tif 000003
【図２】
2010161940.tif 000004
【図３】
2010161940.tif 000005
【図４】
2010161940.tif 000006